(57)【要約】【課題】  冷蔵室の照明を確保しつつ庫内灯の消費電力を低減し、庫内灯の寿命を長くすることができる冷蔵庫を得ることを目的とする。【解決手段】  扉が両開式の冷蔵室２に個の庫内灯２２Ａ、２２Ｂを設けた冷蔵庫において、各扉の開閉状態を検出する扉開閉状態検出手段であるリードスイッチ３１Ａ、３１Ｂと、リードスイッチ３１Ａが一方の扉を開けたことを検出した扉開放信号に基づいて一方の庫内灯３１Ａのみを点灯制御する制御手段である制御基板３５とを備えてなるものである。【選択図】    図１
2006308132.tif 000002
【特許請求の範囲】
【請求項１】
扉が両開式の冷蔵室に少なくとも２個の庫内灯を設けた冷蔵庫において、
前記各扉の開閉状態を検出する扉開閉状態検出手段と、
該扉開閉状態検出手段が一方の扉を開けたことを検出した扉開放信号に基づいて一方の庫内灯のみを点灯させる制御手段と、
を備えたことを特徴とする冷蔵庫。
【請求項２】
前記一方の庫内灯は前記一方の扉に正対する冷蔵室背面部に配設され、前記他方の庫内灯は前記他方の扉に正対する冷蔵室背面部に配設されていることを特徴とする請求項１記載の冷蔵庫。
【請求項３】
前記一方の扉の開閉を検出する扉開閉状態検出手段と前記他方の扉の開閉を検出する扉開閉状態検出手段が互いに独立して設けられていることを特徴とする請求項１又は２記載の冷蔵庫。
【請求項４】
前記各扉開閉状態検出手段はリードスイッチであることを特徴とする請求項１〜３のいずれかに記載の冷蔵庫。
【請求項５】
前記両方のリードスイッチが一枚のリードスイッチ基板上に取り付けられていることを特徴とする請求項４に記載の冷蔵庫。
【発明の詳細な説明】
【技術分野】
【０００１】
本発明は扉が両開式の冷蔵室であり、特に冷蔵室に少なくとも２個の庫内灯を設けた冷蔵庫に関する。
【背景技術】
【０００２】
図５は従来の冷蔵庫を示す正面図である。
図５において、冷蔵庫本体１は、それぞれ断熱壁にて区画され、独立した扉を有する冷蔵室２、製氷室３、温度設定切替可能な切替室４、野菜室５、冷凍室６を有し、冷蔵室２内には冷蔵室棚１４にて仕切られたスライド室ケース２７を備えたスライド室１５を有する。スライド室１５の側部には小物ケース１６を２個有する。
冷蔵室１内には、冷蔵室棚１４のほかに冷蔵室棚１１、冷蔵室棚１２、冷蔵室棚１３が設けられている。冷蔵室１は両開式の冷蔵室扉左７及び冷蔵室扉右８によって開口自在になる。冷蔵室扉右８の庫内側は冷蔵室扉右内板１０により形成されている。同様に冷蔵室扉左７の庫内側は冷蔵室扉左内板９により形成されている。２１は冷蔵室扉左内板９に設けられた扉仕切体である。
冷蔵室２と切替室４及び製氷室３の間を仕切る仕切壁３０にはリードスイッチカバー２９が設けられている。冷蔵室２の背面には、冷蔵室２の照明用に庫内灯２２が２個設けられている。その庫内灯２２を覆うように庫内灯カバー２８が取り付けられている。庫内灯カバー２８の材料は光が透過できるよう透明なものである。
【０００３】
図６は従来の冷蔵庫のリードスイッチの周辺を示す横断面図である。
図６において、仕切壁３０に設けられたリードスイッチカバー２９はリードスイッチ基板３３に配設されている。リードスイッチ基板３３はリードスイッチ３１が２個取り付けられており、それぞれ冷蔵室扉左７に設けられているマグネット３２及び冷蔵室扉右８に設けられているマグネット３２に正対する位置に配置されている。リードスイッチ基板３３にはコネクタ３４が配設されていて、冷蔵庫本体１の制御基板へと電線により接続されている。
【０００４】
図７は従来の冷蔵庫の庫内灯とリードスイッチの回路の模式図である。
図７において、リードスイッチ３１は直列に接続されている。庫内灯２２は並列に接続されている。庫内灯２２は直列に接続されている場合もある。
リードスイッチ３１の開閉による信号は制御基板３５に入力され、制御手段である制御基板３５は庫内灯２２への通電のオン、オフを行う。例えば冷蔵室扉左７及び冷蔵室扉右８が閉じているときにはリードスイッチ３１は導通状態となり、その導通状態の信号は制御基板３５に入力され、制御基板３５はその導通状態の信号に基づいて２個の庫内灯２２に通電をオフし、点灯しないようにする。
逆に、冷蔵室扉左７のみ開いている場合にはひとつのリードスイッチ３１は開放状態となり、２個のリードスイッチ３１は直列に接続されているので、制御基板３５には開放状態の信号が入力され、制御基板３５はその開放状態の信号に基づいて並列に接続された２個の庫内灯２２に通電をオンし、点灯させる。
【０００５】
従来のもう１つの冷蔵庫は、その冷蔵室に左庫内灯及び右庫内灯が配設されている。そして、左庫内灯及び右庫内灯は冷蔵室の扉が開放すると点灯する構造となっている。図示していないが、冷蔵室扉は一枚式または両開式である（例えば、特許文献１参照）。
【特許文献１】特開２０００−１８００４７号公報
【発明の開示】
【発明が解決しようとする課題】
【０００６】
しかしながら、図５〜図７及び特許文献１に示したような従来の冷蔵庫では、両開式の冷蔵室扉のいずれを片方だけ開いても、両方の庫内灯が点灯してしまい無駄に消費電力を消費してしまうという問題があった。また、無駄に点灯させた分、庫内灯の寿命が短くなってしまうという問題もあった。 
本発明は上記のような問題点を解決するためになされたもので、冷蔵庫の照明を確保しつつ庫内灯の消費電力を低減し、庫内灯の寿命を長くすることができる冷蔵庫を提供することを目的とする。
【課題を解決するための手段】
【０００７】
本発明に係る冷蔵庫は、扉が両開式の冷蔵室に少なくとも２個の庫内灯を設けた冷蔵庫において、前記各扉の開閉状態を検出する扉開閉状態検出手段と、該扉開閉状態検出手段が一方の扉を開けたことを検出した扉開放信号に基づいて一方の庫内灯のみを点灯させる制御手段とを備えて構成されている。
【発明の効果】
【０００８】
本発明は以上説明したとおり、扉が両開式の冷蔵室に少なくとも２個の庫内灯を設け、各扉の開閉状態を検出する扉開閉状態検出手段が一方の扉を開けたことを検出すると、制御手段は扉開閉状態検出手段の扉開放信号に基づいて一方の庫内灯のみを点灯させるようにしたので、一方の扉が開けられた場合には一方の庫内灯のみが点灯させられることとなり、従来に比べて消費電力を少なくすることができ、庫内灯の寿命を長くすることができるという効果がある。
【発明を実施するための最良の形態】
【０００９】
実施の形態１．
図１は本発明の実施の形態１に係る冷蔵庫の正面図である。
図１において、冷蔵庫本体１は、それぞれ断熱壁にて区画され独立した扉を有する冷蔵室２、製氷室３、温度設定切替可能な切替室４、野菜室５、冷凍室６を有し、冷蔵室２内には冷蔵室棚Ｄ１４にて仕切られたスライド室ケース２７を備えたスライド室１５を有する。
スライド室１５の側部には小物ケース１６を２個有する。２３は冷蔵室１の下部に設けられた製氷室３を開口自在にする製氷室扉、２４は製氷室３の横に設けられた切替室４を開口自在にする切替室扉、２５は冷蔵室２の下部に並列に設けられた製氷室３と切替室４の下部に設けられた野菜室の開口自在にする野菜室扉、２６は野菜室５の下部で、冷蔵室本体１の最下部に設けられた冷凍室６を開口自在にする冷凍室扉である。
【００１０】
冷蔵室１内には、冷蔵室棚１４のほかに冷蔵室棚１１、冷蔵室棚１２、冷蔵室棚１３が設けられている。冷蔵室１は両開式の冷蔵室扉左７及び冷蔵室扉右８によって開口自在になる。冷蔵室扉右８の庫内側は冷蔵室扉右内板１０により形成されている。同様に、冷蔵室扉左７の庫内側は冷蔵室扉左内板９により形成されている。２１は冷蔵室扉左内板９に設けられた扉仕切体である。
冷蔵室扉左内板９には２個の小物ポケット左１８と１個のボトルポケット左２０が嵌合されている。同様に、冷蔵室扉右内板１０には２個の小物ポケット右１７と１個のボトルポケット右１９が嵌合されている。冷蔵室２と切替室４及び製氷室３の間を仕切る仕切壁３０にはリードスイッチカバー２９が設けられている。
【００１１】
冷蔵室２の背面の左側には、庫内灯左２２Ａが、冷蔵室２の背面右側には、庫内灯右２２Ｂが設けられている。その庫内灯左２２Ａ及び庫内灯右２２Ｂを覆うように庫内灯カバー２８が取り付けられている。庫内灯カバー２８の材料は光が透過できるよう透明なものである。
庫内灯左２２Ａ及び庫内灯右２２Ｂのワット数はそれぞれ１５ワットである。勿論、１０ワットや他の値でもかまわない。庫内灯左２２Ａ及び庫内灯右２２Ｂが１０ワットというようにワット数を下げれば、その分消費電力が低減される。
また、庫内灯２２Ａ及び庫内灯２２Ｂはいわゆる白色灯に限らず、青色や他の色でも構わなく、長寿命のＬＥＤでも構わない。
【００１２】
ＬＥＤであれば更に消費電力の低減がはかることができる。ただし、ＬＥＤはコストが高く、万一ＬＥＤが故障した場合にユーザが簡単にＬＥＤの交換ができないという問題があり、サービスマンがくるまでの間、冷蔵室２の照明機能がなくなってしまうというデメリットはある。
庫内灯左２２Ａの位置は、冷蔵室扉左７の横方向の中央付近と正対する冷蔵室２の背面部で縦方向は冷蔵室棚Ａ１１よりも下方で冷蔵室棚Ｃ１３よりも上方である。
また、庫内灯右２２Ｂの位置は、冷蔵室扉右８の横方向の中央付近と正対する冷蔵室２の背面部で縦方向は冷蔵室棚Ａ１１よりも下方で冷蔵室棚Ｃ１３よりも上方である。
【００１３】
庫内灯左２２Ａ及び庫内灯右２２Ｂが上述の位置であれば、食品が収納されたとしても冷蔵室２のほぼ全域を照らすことができる。また、冷蔵室扉左７や冷蔵室扉右８を開放した状態で小物ポケット左１８、小物ポケット右１７、ボトルポケット左２０及びボトルポケット右１９も照らすことができる。
また、図１には図示していないが後述する制御基板３５が冷蔵室１背面上部に取り付けられており、例えば庫内灯左２２Ａまで電線により接続されている。
【００１４】
図２は本発明の実施の形態１に係る冷蔵庫のリードスイッチの周辺を表す横断面図である。
図２において、仕切壁３０に設けられたリードスイッチカバー２９はリードスイッチ基板３３に配設されている。そのリードスイッチ基板３３にはリードスイッチ左３１Ａ及びリードスイッチ右３１Ｂが取り付けられており、それぞれ冷蔵室扉左７に設けられているマグネット３２及び冷蔵室扉右８に設けられているマグネット３２に正対する位置に配置されている。また、リードスイッチ基板３３にはコネクタ３４が配設されていて、冷蔵庫本体１の後述する制御基板３５へと電線により接続されている。
【００１５】
図３は本発明の実施の形態１に係る冷蔵庫の庫内灯とリードスイッチの回路の模式図である。
図３において、リードスイッチ左３１Ａ及びリードスイッチ右３１Ｂはそれぞれ独立していて、リードスイッチ左３１Ａの開閉による信号は制御手段である制御基板３５に入力され、制御基板３５はリードスイッチ左３１Ａの開閉による信号に基づいて庫内灯左２２Ａへの通電のオン、オフを行う。同様に、リードスイッチ右３１Ｂの開閉による信号は制御基板３５に入力され、制御基板３５は庫内灯左２２Ｂへの通電のオン、オフを行う。
例えば、冷蔵室扉左７が閉じているときにはリードスイッチ左３１Ａは導通状態となり、その導通状態の信号は制御基板３５に入力され、制御基板３５はその導通状態の信号に基づいて庫内灯左２２Ａへの通電をオフし、点灯しないようにする。
【００１６】
同様に、冷蔵室扉右８が閉じているときにはリードスイッチ右３１Ｂは導通状態となり、その導通状態の信号は制御基板３５に入力され、制御基板３５はその導通状態の信号に基づいて庫内灯右２２Ｂへの通電をオフし、点灯しないようにする。
逆に、冷蔵室扉左７のみ開いている場合には、リードスイッチ左３１Ａは開放状態となり、制御基板３５にはリードスイッチ左３１Ａの開放状態の信号が入力され、制御基板３５はその開放状態の信号に基づいて庫内灯左２２Ａへの通電をオンし、点灯するようにする。
また、リードスイッチ右３１Ｂはリードスイッチ左３１Ａに対して独立であるため、庫内灯右２２Ｂは点灯しない。当然、逆も同様である。また冷蔵室扉左７や冷蔵室扉右８の開閉状態を判定する手段としてリードスイッチ３１でなくてもよい。
【００１７】
上述したような実施の形態１に示す冷蔵庫によれば、扉が両開式の冷蔵室２に２個の庫内灯２２Ａ、２２Ｂを設け、例えば一方の扉の開閉状態を検出する扉開閉状態検出手段であるリードスイッチ３１Ａが一方の扉を開けたことを検出すると、制御手段である制御基板３５はリードスイッチ３１Ａの扉開放信号に基づいて一方の庫内灯２２Ａのみを点灯制御するようにしたので、一方の扉が開けられた場合には一方の庫内灯２２Ａのみが点灯させられることとなり、従来に比べて消費電力を低減することができ、庫内灯の寿命を長くすることができるという効果がある。
【００１８】
一方の庫内灯２２Ａは一方の扉である冷蔵庫扉左７に正対する冷蔵室背面部に配設され、他方の庫内灯２２Ｂは他方の扉である冷蔵庫扉右８に正対する冷蔵室背面部に配設されているので、冷蔵室扉７又は８を開けた場合に、開けた冷蔵室扉７又は８に正対する冷蔵室背面に設けられた庫内灯２２Ａ又は２２Ｂのみが点灯するので、冷蔵室２のほぼ全域に必要な照明を確保でき、しかも消費電力を低減することができる。
【００１９】
実施の形態２．
図４は実施の形態２に示す冷蔵庫のリードスイッチ基板の模式図である。
この実施の形態２に示す冷蔵庫の機械的構成は実施の形態１の図１と同様であり、機械的な構成の説明は省略する。また、リードスイッチ周辺の構成的構成や冷蔵庫庫内灯とリードスイッチの回路構成も実施の形態１の図２及び図３と同様であり、これらの構成の説明も省略する。
【００２０】
この実施の形態２で実施の形態１と相違する構成は、リードスイッチ左３１Ａ及びリードスイッチ右３１Ｂが一枚のリードスイッチ基板３３に互いに独立して取り付けられていることと、リードスイッチ左３１Ａはリードスイッチ基板３３のパターン３３Ａで端子３４Ａ及び端子３４Ｂにつながっており。リードスイッチ右３１Ｂはリードスイッチ基板３３のパターン３３Ｂで端子３４Ｃ及び端子３４Ｄにつながっている点である。
そして、端子３４Ａ〜３４Ｄに接続されたコネクタ３４は図４には図示していないが、冷蔵庫内部に配線された電線により制御基板３５へと接続されている。
【００２１】
上述したように互いに独立したリードスイッチ左３１Ａ及びリードスイッチ右３１Ｂを一枚のリードスイッチ基板３３に取り付けるようにしたので、コストの低減を図ることができる。また、端子３４Ａ〜３４Ｄに接続されるコネクタ３４も一つで済むむため、組立コストの削減も図ることができる。
【図面の簡単な説明】
【００２２】
【図１】本発明の実施の形態１に係る冷蔵庫の正面図である。
【図２】同冷蔵庫のリードスイッチ周辺を示す横断面図である。
【図３】同冷蔵庫の庫内灯とリードスイッチの回路の模式図である。
【図４】本発明の実施の形態２に係る冷蔵庫のリードスイッチ基板の模式図である。
【図５】従来の冷蔵庫を示す正面図である。
【図６】同冷蔵庫のリードスイッチ周辺を示す横断面図である。
【図７】同冷蔵庫の庫内灯とリードスイッチの回路の模式図である。
【符号の説明】
【００２３】
１ 冷蔵庫本体、２  冷蔵室、３  製氷室、４  切替室、５  野菜室、６  冷凍室、７  冷蔵室扉左、８  冷蔵室扉右、２２Ａ  庫内灯左、２２Ｂ  庫内灯右、２８  庫内灯カバー、２９  リードスイッチカバー、３０  仕切壁、３１Ａ  リードスイッチ左、３１Ｂ  リードスイッチ右、３２  マグネット、３３  リードスイッチ基板、３５  制御基板。
【図１】
2006308132.tif 000003
【図２】
2006308132.tif 000004
【図３】
2006308132.tif 000005
【図４】
2006308132.tif 000006
【図５】
2006308132.tif 000007
【図６】
2006308132.tif 000008
【図７】
2006308132.tif 000009